(57)【要約】  改善されたシール組立体を備えたスラスト軸受が、両端（１１，２２）にラバーシールを支持するための平面（１９，２１）が設けられたスリーブ（７）を有し、各シールには、軸方向に延びる二つのラバーリップ（３，４，１０，１２）が設けられている。スリーブ（７）の両端（１１，２２）は、リップ（３，４，１０，１２）を包む。スリーブ（７）の内面（２０）は、ころ保持器組立体（１５，１６）を案内し、二重リップラバーシール（８，９）でシールされている。二重リップラバーシール（８，９）は、金属補強材（１３）を備え、下部ワッシャ（１４）の外径部に圧入されている。Ｏリング（６）は、上部ワッシャ（２）及びスリーブ（７）の内面（２０）の間にシールを提供する。【選択図】図１
2013530354.tif 000002
【特許請求の範囲】
【請求項１】
改善されたシール組立体を備えたスラスト軸受であって、
ａ．  ラバーリップを折り曲げるための空間を提供するように、平面［１９，２１］を有する両端に閉じたリムを備えた［０７］などの外部エンベロープと、
ｂ．  二つの軸側リップを備えた二重リップシールなどのシールと
を有し、
ラバーリップの軸は、関連する嵌め合い部品と共に傾いており、
前記エンベロープの最外端［１１，２２］はラバーシールの前記繊細なリップを包み、前記エンベロープＩＤ［２０］の前記部分は、ころ保持器組立体［１５，１６］を案内し、［０８，０９］でシールを創出するような方法で置かれており、
軸受外部エンベロープは、二重リップシールの本体に対する補強材として使用されている、改善されたシール組立体を備えたスラスト軸受。
【請求項２】
前記外部Ｏリング［０６］は、上部ワッシャＯＤと外部カバーＩＤとの間に追加的なシールを提供する、請求項１に記載のスラスト軸受のシール組立体。
【請求項３】
前記ラバーシール［０８，０９，１２］が、低炭素鋼補強材［１４］を有し、下部ワッシャ［１４］の外径部に嵌合するように圧入された、請求項１に記載の改善されたシール組立体を備えたスラスト軸受。
【請求項４】
前記ラバーシール［０３，０４，０８，０９，１０］は、特別な傾斜を有する成形型によって製作され得る、請求項１に記載の改善されたシール組立体を備えたスラスト軸受。
【請求項５】
前記加工された外部カバーは、前記シールに取り付けられ、弾力性のある材料と同時に結合して前記シールの一体の部品を形成する、請求項４に記載の改善されたシール組立体を備えたスラスト軸受。
【請求項６】
ラバーシール金属補強材［１３］が下部ワッシャ［１４］に嵌められている、請求項１に記載の改善されたシール組立体を備えたスラスト軸受。
【請求項７】
前記シール［０３，０４，０８，０９，１０，１３］は、それらを折り曲げるのが可能となるように前記組立体に配置されている、請求項１に記載の改善されたシール組立体を備えたスラスト軸受。
【請求項８】
前記プラスチック保持器［１６］は、保持器の外径部に溝［２０］を有する、請求項１に記載の改善されたシール組立体を備えたスラスト軸受。
【請求項９】
シールのリップを収容する前記外部加工カバー面の形状及び構造を有する、請求項１に記載の改善されたシール組立体を備えたスラスト軸受。
【請求項１０】
シールリップを保護する前記外部加工カバーの形状及び構造を有する、請求項１に記載の改善されたシール組立体を備えたスラスト軸受。
【請求項１１】
すべての軸受を共に保持する外部カバーの形状及び構造を有する、請求項１に記載の改善されたシール組立体を備えたスラスト軸受。
【請求項１２】
図１の断面図に示されるような改善されたシール組立体を備えた前記スラスト軸受。
【発明の詳細な説明】
【技術分野】
【０００１】
本発明は、概して、スラスト軸受のキングピン用途におけるシール組立体、及び、スラスト荷重用途におけるシール組立体に関する。本発明は、具体的には、汚染物の軸受への侵入を抑制／防止しつつ、キングピンナックル継手の嵌め合い部品への潤滑油の漏出を許容するためのシール装置を有するスラスト円筒ころ軸受組立体におけるシール組立体に関する。
【０００２】
本発明は、さらに具体的には、ステンレス鋼から加工されて軸受組立体においてエンベロープとして機能するスリーブ補強材を備える面上で径方向にある二重リップシールを有する、キングピン用途／スラスト荷重用途の円筒スラスト軸受組立体に関する。本発明は、耐用期間の長さにわたって潤滑を提供する。新しい概念は、加工された部品から作られ、二重シールの新しい機能を、上側及び下側においてナックル面に付加する。さらなるシールを付加することで、摩擦が推測される。
【背景技術】
【０００３】
以前から知られるスラスト円筒ころ軸受は、エンベロープ（筒状体）、円筒ころ、プラスチック保持器、上部ワッシャ、下部ワッシャ、外部Ｏリング、及び内部Ｏリングが、グリースと共に封じ込まれて成る。この軸受は、下部ワッシャ上のラジアル及びアクスルラバーリップが破損し、異物の侵入が許されてしまったときのナックル上側及び下側からの異物の侵入や、汚染物のために、追加的な保護を必要とした。
【０００４】
既存の先行技術から、上側にはシールがなく、下側には追加的なシールがない軸受が知られているが、その軸受は汚染物質を発生させることになる。しかしながら、水などの液体が軸受組立体内に侵入するため、軸受では早期の不具合がしばしば発生していた。そのため、軸受の不具合の問題及びキングピン部品の不具合に関して、並びに、同様に汚染された用途に関してこの業界には常に懸念があった。ときどきシールは現場で下部ワッシャから取り外され、再組立の際に軸受の適切な配置が確保されなかった場合には、耐用期間の長さにわたって潤滑を伴うことはできなかった。
【０００５】
先行技術の研究はまた、シール装置として二重リップシールを使用することにも言及している。しかしながら、二重ラジアル及びアクスルリップシールは、ころ軸受室などの特定のタイプの軸受室をシールするには、空間の問題で効果的に使われていなかった。つまり、軸受の全体の幅及び外径を変えることなくより大きな空間が割り当てられた場合には、空間が制約されることになり、並びに、軸受の定格荷重が減少することになるため、軸受の耐用期間が短くなることになる。さらに、下側のリップは外気に直に曝され、泥や硬い粒子が直に当たることで、リップを破損させる可能性がある。
【発明の概要】
【発明が解決しようとする課題】
【０００６】
本発明の以前における関連する問題及び不利益は、補強材及びステンレス鋼のエンベロープを備えた二重リップシールが小さな幅及び外径とされた軸受内に設けられている本発明によって対処される。
【課題を解決するための手段】
【０００７】
本発明の第１の目的は、二重リップのラジアルシール及びアクスルシールなどのシール手段から成る効率的で小型の軸受組立体を、シール手段がその組立体の室内に長い耐用期間を有する状態で提供することである。本発明の目的は、外部エンベロープの面を変換することで、特定の発明構造の追加及び改善の行われた二重リップシールの使用を効果的に行うことである。本発明のさらなる目的は、軸受組立体及び軸を保護する特別な形状の加工されたステンレス鋼エンベロープによって、二重ラジアル及びアクスルリップシールの繊細なリップが外部環境に直に曝されることで破損するのを回避することであり、また、軸受の取り扱い／装着の間に、シールリップを硬い異物による破損から保護することである。本発明のさらなる目的は、軸受組立体の室内に二重リップシールを収容し、摩擦トルクを小さくするための恒久的な潤滑のためにグリースを保持することである。
【０００８】
本発明の好ましい実施形態の一つによれば、軸受の外部エンベロープは、二重リップシール本体の補強材として使用される。別の好ましい実施形態によれば、本発明はまた、ナックルの上部及び下部において軸受の両スラスト面にシールを提供する。本発明の別の実施形態では、少なくとも二つのアクスルリップを提供し、エンベロープの一方の外部リップは異物及び汚染物質の軸受組立体内への侵入を防ぎ、ワッシャ上の他方の内部アクスルリップは異物を防ぐ。エンベロープの内面は、シール用のリップへの接触部となっており、潤滑が外郭によって案内されるように、グリースが流れ出るのを許容する。外部エンベロープの一部は、軸受の特定の境界形状内の内部で適切に位置が定まるように、シールの外部アクスルリップに空間を提供する。追加の実施形態は、上部ワッシャと共に振動又は回転する、外部の加工されたエンベロープに圧入される上部ワッシャが使用されている。
【０００９】
本発明は、明細書に添付される図面を参照しつつ説明され、図面では、同じ参照符号は同じ部品を表している。
【図面の簡単な説明】
【００１０】
【図１】本発明の実施形態の断面図である。
【図２】キングピンで組み立てられた本発明の実施形態の概略的な断面図である。
【図３】古い構成と新しい構成との比較を示す、キングピンで組み立てられた本発明の実施形態の概略的な断面図である。
【図４】キングピンで組み立てられた本発明の実施形態の概略的、かつ、比較の断面図である。
【発明を実施するための形態】
【００１１】
図１、図２、及び図３を参照すると、軸受組立体は、特殊合金ステンレス鋼材製であり、シール、ワッシャ、及びころを保持する、閉じた（連続した）リムを両端に有する円筒形に加工された部品から作られた外部エンベロープ［０７］を有している。軸受組立体では、外部エンベロープ［０７］は、軸受の外側部として機能し、転がり要素、保持器、上部ワッシャ、下部ワッシャを保持し、振動又は回転の最中にそれらを案内する。また、エンベロープ［０７］は、すべての部品を一体に維持する手段として機能する。エンベロープ［０７］は、ラバーリップを保持するための空間を提供するように、平面［１９，２１］を有する。最外端部［１１，２２］はラバーシールの繊細なリップを包み、外部因子からそれらを保護する。エンベロープＩＤ［２０］の部分は、ころ保持器組立体［１５，１６］を案内し、［０８，０９］でシールを創出する。本発明の好ましい実施形態の一つによれば、ワッシャ部［０２，１４］は、ラバーリップ［０３，０４，１０，１２］によって汚染物質から防がれている。部分［２２］は、ナックルの上面及び下面によって厳密に案内され、０．１ｍｍを超える硬い粒子がラバーリップ［０３，０４，１０，１２］に当たって破損させることはない。外部Ｏリング［０６］は、上部ワッシャＯＤと外部カバーＩＤとの間に追加的なシールを提供し、軸受を汚染物質から保護する。
【００１２】
本発明によれば、ラバーシールリップ［０８，０９，１０，１２］は、余分なグリースが流れ出てキングピン組立体の他の部品を潤滑することができるように作られている。ラバーシール［０８，０９，１２］は、低炭素鋼補強材［１４］を有し、下部ワッシャ［１４］の外径部に圧入されている。ラバーシール［０３，０４，０８，０９，１０］は、成形型によって製作されてもよく、加工された外部カバーは、シールに取り付けられ、弾力性のある材料と同時に結合してシールの一体の部品を形成する。下部ワッシャ［１４］に圧入されたラバーシール金属補強材［１３］は、汚染物質を含む異物の下部ワッシャ［１４］面及び下ナックル面への侵入を防ぐ。リップ［０３，０４，０８，０９，１０，１３］は、汚染物質の外部から軸受内部への侵入を防ぐように折り曲げることができ、かつ、余分な潤滑油が軸受から流れ出すことができるような方法で組立体内に配置されている。
【００１３】
本発明のように、プラスチック保持器［１６］は、グリースを内部から軸受の外側に流し出すように、保持器の外径部に溝［２０］を有している。
【００１４】
この全体の配置によって、余分な潤滑油又はグリースの軸受組立体からの漏出が可能になる一方で、軸に軸受を組み付け、余分なグリースは、軸の外径のレベル以下に浮いている。
【００１５】
以上のように記載して説明した本発明の実施形態は、困難に打ち勝って恩恵を得られるように計算され、以上で説明したように有利である。本発明の単一性の範囲内において、説明した発明をさらに改良及び改善することは可能であり得る。
【図１】
2013530354.tif 000003
【図２】
2013530354.tif 000004
【図３】
2013530354.tif 000005
【図４】
2013530354.tif 000006
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
改善された組立体を備えたスラスト軸受であって、
前記スラスト軸受は、分割不可能な円筒部品として加工された外部エンベロープ［０７］であって、
前記エンベロープ［７］は、すべての部品を一体に維持するようにシール、ワッシャ［２，１４］、及びころ［１５］を保持する、両端にある閉じたリム［５，１１］と、
ラバーシール［０８，０９］のリップ［０３，０４，１０，１２］を覆う最外端部［１１，２２］と、
ラバーリップ［０３，０４，１０，１２］を折り曲げるための空間を提供する上部面および下部面［５，１１］と、
ころ保持器組立体［１５，１６］を案内し、シール［０８，０９］を創出する前記エンベロープ［０７］の一部［２０］と、有しており、
前記スラスト軸受は、上部ワッシャ［２］及びエンベロープ［０７］の間をシールするための外部Ｏリング［０６］と、
少なくとも一つのシール手段［０３，０４，１０，１２］とを有する、改善された組立体を備えたスラスト軸受。
【請求項２】
前記エンベロープ［０７］は、前記軸受の外部カバーとして機能して転がり要素［１５］、保持器［１６］、上部ワッシャ［２］、下部ワッシャ［１４］、すべての軸受構成部品を保持し、振動又は回転の最中にそれらを案内する、請求項１に記載の改善された組立体を備えたスラスト軸受。
【請求項３】
前記加工された外部エンベロープ［０７］は、前記軸受を汚染物質から防ぎ、前記エンベロープ［０７］が腐食するのを保護するべく、特殊合金ステンレス鋼材料から作られている、請求項１に記載の改善された組立体を備えたスラスト軸受。
【請求項４】
少なくとも一つのシール手段［０３，０４，１０，１２］が二重リップのラジアル及び／又はアクスルシールを有する、請求項１に記載の改善された組立体を備えたスラスト軸受。
【請求項５】
前記ラバーシールリップ［０３，０４，１０，１２］は、非合金金属から作られている、請求項１に記載の改善された組立体を備えたスラスト軸受。
【請求項６】
前記ラバーシール［０８，０９］は、低炭素鋼補強材［１３］を有し、下部ワッシャ［１４］の外径部に嵌合するように圧入された、請求項１に記載の改善された組立体を備えたスラスト軸受。
【請求項７】
前記ラバーシール金属補強材［１３］は、径方向及び軸方向にある上部ワッシャ及び下部ワッシャの汚染を防ぐ、請求項１に記載の改善された組立体を備えたスラスト軸受。
【請求項８】
前記ラバーシールリップ［０３，０４，１０，１２］と、前記上部面［５］及び前記下部面［１１］との間の隙間は、０．１ｍｍから０．２５ｍｍの範囲である、請求項１に記載の改善された組立体を備えたスラスト軸受。
【請求項９】
前記ラバーシールリップ［０３，０４，１０，１２］は、摩耗及び破れがなく円滑に折り曲げることができるように、２８°から４６°の範囲の角度でそれらを成形することで製作され、請求項１に記載の改善された組立体を備えたスラスト軸受。
【請求項１０】
ころ保持器組立体［１５，１６］の外径部は、潤滑油の流れを案内し、汚染物質の侵入を防ぐように、深さが０．３ｍｍから０．６ｍｍで、幅が２から５ｍｍの範囲の溝［２０］を有しする、請求項１に記載の改善された組立体を備えたスラスト軸受。
【請求項１１】
すべての軸受部品を共に保持し、また、シールリップ［０３，０４，１０，１２］を収容して保護するために、前記外部エンベロープ［０７］の中間凹みは、上部で１ｍｍから２ｍｍの範囲となっており、下部で０．２ｍｍから０．８ｍｍの範囲となっている、請求項１に記載の改善された組立体を備えたスラスト軸受。
【国際調査報告】
2013530354.tif 000007
2013530354.tif 000008
2013530354.tif 000009
2013530354.tif 000010